(57)【要約】【課題】作業の安全性を確保することができるブロックの玉掛用治具とその撤去方法を提供する。【解決手段】水中ブロックの下方に玉掛用紐状体１２を挿通し、この玉掛用紐状体１２を水中ブロックの下部に掛ける水中ブロックの玉掛用治具１１である。玉掛用紐状体１２より細く該玉掛用紐状体１２を水中ブロックの下方に通すための先行用紐状体１３と、この先行用紐状体１３が挿通される鞘管１４と、この鞘管１４に挿通した先行用紐状体１３の先端に設けた浮体１５とを備える。水中ブロックの一側から浮体１５と鞘管１４の先端を水中ブロックの下方に挿入し、浮体１５が他側に浮き上がったら、鞘管１４を一側に引き抜き、先行用紐状体１３の基端に玉掛用紐状体１２を連結し、先行用紐状体１３を他側に引っ張って玉掛用紐状体１２を水中ブロックの下方に挿通し、水中ブロックの下部に玉掛用紐状体１２を掛けることができる。【選択図】図１
2018017056.tif 000002
【特許請求の範囲】
【請求項１】
ブロックの下方に玉掛用紐状体を挿通し、この玉掛用紐状体を前記ブロックの下部に掛けるブロックの玉掛用治具において、前記玉掛用紐状体を前記ブロックの下方に通すための先行用紐状体と、この先行用紐状体が挿通される鞘管とを備え、前記鞘管が曲げ部を有することを特徴とするブロックの玉掛用治具。
【請求項２】
ブロックの下方に玉掛用紐状体を挿通し、この玉掛用紐状体を前記ブロックの下部に掛けるブロックの玉掛用治具において、前記玉掛用紐状体を前記ブロックの下方に通すための先行用紐状体と、この先行用紐状体が挿通される鞘管と、この鞘管に挿通した前記先行用紐状体の先端に設けた浮体とを備えることを特徴とするブロックの玉掛用治具。
【請求項３】
前記鞘管が曲げ部を有することを特徴とする請求項２記載のブロックの玉掛用治具。
【請求項４】
請求項２記載のブロックの玉掛用治具を用いるブロックの撤去方法において、前記ブロックの一側からブロックの下方に前記浮体と前記鞘管の先端を挿入し、前記先行用紐状体の基端側を操作して前記先行用紐状体の先端側を前記鞘管の先端から押し出し、水中において前記浮体が前記ブロックの他側に浮上した後、前記先行用紐状体を残して前記鞘管を基端側から引き抜き、前記先行用紐状体の基端に前記玉掛用紐状体を連結し、前記先行用紐状体の先端側を引っ張って前記玉掛用紐状体を水中ブロックの下方に挿通し、前記玉掛用紐状体をブロックに掛け、前記玉掛用紐状体を用いてブロックを吊り上げることを特徴とするブロックの撤去方法。
【発明の詳細な説明】
【技術分野】
【０００１】
本発明は、ブロックの下方に紐状体を通し、この紐状体をブロックの下部に掛ける際に用いる玉掛用治具とブロックの撤去方法に関する。
【背景技術】
【０００２】
従来、水中ブロックの据付作業や撤去作業においては、潜水士が玉掛ワイヤをブロックに掛けたり、外したりする作業が行われている（例えば特許文献１）。また、消波ブロックでは、複数の脚部を有する水中ブロックを用い、水中ブロックの上に水中ブロックを積み上げることにより、海などの場合、上部の水中ブロックは満潮になっても海水に浸からず、気中となるものもある。
【０００３】
前記水中ブロックを吊り上げる際には、水中において、ワイヤをブロックの下方に通し、ブロックの下部にワイヤを掛ける必要がある（例えば特許文献２の図７）。
【０００４】
近年、多くの既設港湾構造物が更新時期を迎え、更新に関する工事が増加している。また、港の沖合展開により、港湾構造物の大水深化やそれに伴う消波ブロック（水中ブロック）の大型化も進んでいる。そして、更新するには既存の消波ブロックを撤去する必要がある。
【先行技術文献】
【特許文献】
【０００５】
【特許文献１】特開２００９−５２２０６号公報
【特許文献２】特開平９−７７４５９号公報
【発明の概要】
【発明が解決しようとする課題】
【０００６】
上記消波ブロックを撤去する方法としては、上述したように潜水士が玉掛ワイヤを水中ブロックに掛け、吊り上げる方法が一般的に用いられている。しかし、大型の水中ブロックでは、潜水士が水中ブロックの直下へ潜り込み、玉掛ワイヤを通すこととなり、作業性が低いと共に、作業の際に安全性を確保する必要がある。
【０００７】
また、複数の脚部を有する水中ブロックでは、脚部と脚部の間の狭い隙間に玉掛ワイヤを通す必要があり、作業が煩雑となる。特に、複数の水中ブロックを積み上げた構造では、下部の水中ブロックの脚部の間に上部の水中ブロックの下部が入り込むため、前記隙間が狭くなり、積み上げ構造の上部の水中ブロックの下方に玉掛ワイヤを挿通する作業が煩雑となる。
【０００８】
本発明は上記した問題点に鑑み、作業の安全性を確保することができるブロックの玉掛用治具とその撤去方法を提供することを目的とする。
【課題を解決するための手段】
【０００９】
請求項１に係る発明は、ブロックの下方に玉掛用紐状体を挿通し、この玉掛用紐状体を前記ブロックの下部に掛けるブロックの玉掛用治具において、前記玉掛用紐状体を前記ブロックの下方に通すための先行用紐状体と、この先行用紐状体が挿通される鞘管とを備え、前記鞘管が曲げ部を有することを特徴とする。
【００１０】
請求項２に係る発明は、ブロックの下方に玉掛用紐状体を挿通し、この玉掛用紐状体を前記ブロックの下部に掛けるブロックの玉掛用治具において、前記玉掛用紐状体を前記ブロックの下方に通すための先行用紐状体と、この先行用紐状体が挿通される鞘管と、この鞘管に挿通した前記先行用紐状体の先端に設けた浮体とを備えることを特徴とする。
【００１１】
請求項３に係る発明は、前記鞘管が曲げ部を有することを特徴とする。
【００１２】
請求項４に係る発明は、請求項２記載のブロックの玉掛用治具を用いるブロックの撤去方法において、前記ブロックの一側からブロックの下方に前記浮体と前記鞘管の先端を挿入し、前記先行用紐状体の基端側を操作して前記先行用紐状体の先端側を前記鞘管の先端から押し出し、水中において前記浮体が前記ブロックの他側に浮上した後、前記先行用紐状体を残して前記鞘管を基端側から引き抜き、前記先行用紐状体の基端に前記玉掛用紐状体を連結し、前記先行用紐状体の先端側を引っ張って前記玉掛用紐状体をブロックの下方に挿通し、前記玉掛用紐状体をブロックに掛け、前記玉掛用紐状体を用いてブロックを吊り上げることを特徴とする。
【発明の効果】
【００１３】
請求項１の構成によれば、ブロックの一側から鞘管の先端をブロックの下方に挿入し、曲げ部により鞘管の先端側が上向きになるように挿通し、先行用紐状体の先端側を作業者が掴んだら、先行用紐状体を残して鞘管を一側に引き抜き、先行用紐状体の基端に玉掛用紐状体を連結し、先行用紐状体の先端側を引っ張って玉掛用紐状体をブロックの下方に挿通し、ブロックに玉掛用紐状体を掛けることができる。
【００１４】
請求項２の構成によれば、ブロックの一側から浮体と鞘管の先端をブロックの下方に挿入し、浮体が他側に浮き上がったら、或いは浮体を作業者が掴んだら、先行用紐状体を残して鞘管を一側に引き抜き、先行用紐状体の基端に玉掛用紐状体を連結し、先行用紐状体の先端側を引っ張って玉掛用紐状体をブロックの下方に挿通し、ブロックに玉掛用紐状体を掛けることができる。
【００１５】
請求項３の構成によれば、鞘管をブロックの下方に挿入し易くなる。
【００１６】
請求項４の構成によれば、治具を用いて水中のブロックの下方に玉掛用紐状体を簡便に挿通することができ、撤去作業を安全に行うことができる。
【図面の簡単な説明】
【００１７】
【図１】本発明の実施例１を示す玉掛用治具の側面図である。
【図２】同上、作業工程を示す斜視図であり、一側から浮体と鞘管の先端を水中ブロックの下方に挿入する状態を示す。
【図３】同上、作業工程を示す斜視図であり、先行用紐状体を他側に送り出す状態を示す。
【図４】同上、先行用紐状体を水中ブロックの下方に挿通した状態を示す斜視図である。
【図５】本発明の実施例２を示す玉掛用治具の先端側の側面図である。
【図６】本発明の実施例３を示す玉掛用治具の側面図である。
【図７】本発明の実施例４を示す玉掛用治具の先端側の側面図である。
【発明を実施するための形態】
【００１８】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なるブロックの玉掛用治具とその撤去方法を採用することにより、従来にないブロックの玉掛用治具とその撤去方法が得られ、そのブロックの玉掛用治具とその撤去方法をそれぞれ記述する。
【実施例１】
【００１９】
以下、本発明のブロックの玉掛用治具とその撤去方法を、添付図面を参照して説明する。
【００２０】
図１〜図４は、本発明の実施例１を示し、この例は水中のブロックである水中ブロック１としてテトラポット（商標名）の撤去作業に本発明を適用したものである。前記水中ブロック１は、海や川の岸辺に配置されるコンクリート製の波消ブロックであり、複数のテーパー状の脚部２を有し、これら複数（３つ以上）の脚部２は水中ブロック１の中央から外側に放射状に突出され、この例では、正四面体の各頂点を先端とする４つの脚部２を有している。尚、この例では、海底３に設置された水中ブロック１の撤去について説明する。
【００２１】
玉掛用治具１１は、前記水中ブロック１の下部に玉掛用紐状体１２を玉掛する際に使用され、前記玉掛用紐状体１２より細く該玉掛用紐状体１２を水中ブロック１の下方に通すための先行用紐状体１３と、この先行用紐状体１３が挿通される鞘管１４と、この鞘管１４内に挿通した先行用紐状体１３の先端に設けた浮体１５とを備える。尚、浮体１５は鞘管１４の内径より大きい。また、玉掛用紐状体１２は鞘管１４の内径より太い。
【００２２】
前記紐状体１２，１３には、鋼製ワイヤや合成樹脂製ワイヤを用いることができ、これ以外でも各種の紐状のものを用いることができる。前記鞘管１４は合成樹脂製や鋼製のものが用いられ、直管状のものを機械加工などにより曲げ加工が可能なものを用いることが好ましく、合成樹脂製であれば加熱して曲げ加工してもよい。この例では、鞘管１４は、全体を湾曲状にした曲げ部１６を有し、この曲げ部１６の先端側である先端側曲げ部１６Ａは曲率が小さく、この先端側曲げ部１６Ａに比べて基端側曲げ部１６Ｂの曲率を大きくしている。尚、鞘管１４の両端に直管部分を設けてもよい。そして、曲げ部１６を設けた状態で鞘管１４は保形性を有する。また、鞘管１４の両端の開口は斜め上側を向いている。具体的には、鞘管１４の両端の接線のなす角度は、４０度以下であり、鞘管１４に通すことにより先行用紐状体１３は１４０度以上向きを変える。この場合、鞘管１４の両端の接線のなす角度を９０度以上、好ましくは１１５度以上、より好ましくは実施例の１４０度以上、１８０度以下とすることにより、先行用紐状体１３の先端を水中ブロック１の他側に通し易くなる。尚、鞘管１４の両端の接線のなす角度は、鞘管１４の先行用紐状体１３の両端の開口における角度である。尚、先端側曲げ部１６Ａと基端側曲げ部１６Ｂは同一平面上に位置する。
【００２３】
前記先行用紐状体１３は、前記玉掛用紐状体１２より細く、前記鞘管１４に挿通され、前記先行用紐状体１３の鞘管１４から出た基端側を操作することにより、先行用紐状体１３を鞘管１４内に押し込んで、鞘管１４の先端から先行用紐状体１３を押し出すことができる。
【００２４】
前記浮体１５は、ブイなどが用いられ、水中において浮力を有するものであれば、各種のものを用いることができる。この例では、浮体１５は略球形をなし、中央に貫通孔１５Ａを有し、この貫通孔１５Ａに、ワイヤなどからなる取付部材１７を固定している。また、前記先行用紐状体１３の先端には輪部１３Ａが設けられており、この輪部１３Ａに前記取付部材１７を連結することにより、前記先行用紐状体１３の先端に浮体１５が設けられる。尚、前記輪部１３Ａは前記鞘管１４を挿通可能なものである。
【００２５】
次に、前記治具１１の使用方法について説明する。水中ブロック１は設置場所である海底３の上、又は海底３に設置した設置場所たる水中ブロック１，１・・・の上に設けられている。潜水士は、玉掛用治具１１を持って水中ブロック１の一側から、水中ブロック１の下方に浮体１５と鞘管１４の先端を挿入する（図２）。この場合、鞘管１４の基端側を持って先端を水中ブロック１の下方に入れ、さらに、曲げ部１６の外側が下になるように鞘管１４を挿入する。また、鞘管１４は曲っているから、水中ブロック１の上部に立った状態で、鞘管１４の先端を水中ブロック１の下方に挿入してもよい。
【００２６】
鞘管１４の先端を水中ブロック１の中央より他側に挿入したら、鞘管１４を保持した状態で、先行用紐状体１３の基端側を把持して先行用紐状体１３を鞘管１４内に押し込む。こうすると、図３に示すように、先行用紐状体１３の先端が鞘管１４の先端から押し出され、水中ブロック１の下部を通過すると、浮体１５が水中ブロック１に邪魔されずに浮き上がる。浮体１５がある程度浮き上がったら、鞘管１４のみを一側に引き抜き、鞘管１４を先行用紐状体１３から外す。この場合、水中の潜水士が浮体１５を掴める高さまで浮上したら、鞘管１４を引き抜く。
【００２７】
鞘管１４を外した後、図４に示すように、先行用紐状体１３の基端に玉掛用紐状体１２を連結する。この後、先行用紐状体１３の浮体１５側を引っ張って玉掛用紐状体１２を水中ブロック１の下方に通し、必要に応じて玉掛用紐状体１２から先行用紐状体１３を外し、玉掛用紐状体１２を水中ブロック１の下部に掛け、玉掛用紐状体１２により水中ブロック１を支持し、該水中ブロック１を吊り上げ、水上の所定の場所に撤去する。
【００２８】
１つの水中ブロック１を吊り上げ、撤去が終わったら、先行用紐状体１３を鞘管１４に挿通し、次の水中ブロック１の撤去作業を行うことができ、玉掛用治具１１は繰り返し使用することができる。尚、複数の玉掛用治具１１，１１・・・を用いて撤去作業を行ってもよい。
【００２９】
このように本実施例では、請求項１に対応して、水中又は気中のブロック１の下方に玉掛用紐状体１２を挿通し、この玉掛用紐状体１２をブロック１の下部に掛けるブロック１の玉掛用治具１１において、玉掛用紐状体１２をブロック１の下方に通すための先行用紐状体１３と、この先行用紐状体１３が挿通される鞘管１４とを備え、鞘管１４が曲げ部１６を有するから、ブロック１の一側から鞘管１４の先端をブロック１の下方に挿入し、曲げ部１６により鞘管１４の先端側が上向きになるように挿通し、先行用紐状体１３の先端側を作業者が掴んだら、先行用紐状体１３を残して鞘管１４を一側に引き抜き、先行用紐状体１３の基端に玉掛用紐状体１２を連結し、先行用紐状体１３の先端側を引っ張って玉掛用紐状体１２をブロック１の下方に挿通し、ブロック１に玉掛用紐状体１２を掛けることができる。
【００３０】
このように本実施例では、請求項２に対応して、ブロックたる水中ブロック１の下方に玉掛用紐状体１２を挿通し、この玉掛用紐状体１２を水中ブロック１の下部に掛ける水中ブロック１の玉掛用治具１１において、玉掛用紐状体１２より細く該玉掛用紐状体１２を水中ブロック１の下方に通すための先行用紐状体１３と、この先行用紐状体１３が挿通される鞘管１４と、この鞘管１４に挿通した先行用紐状体１３の先端に設けた浮体１５とを備えるから、水中ブロック１の一側から浮体１５と鞘管１４の先端を水中ブロック１の下方に挿入し、浮体１５が他側に浮き上がったら、或いは浮体１５を作業者が掴んだら、先行用紐状体１３を残して鞘管１４を一側に引き抜き、先行用紐状体１３の基端に玉掛用紐状体１２を連結し、先行用紐状体１３の先端側に引っ張って玉掛用紐状体１２を水中ブロック１の下方に挿通し、水中ブロック１の下部に玉掛用紐状体１２を玉掛することができる。
【００３１】
このように本実施例では、請求項３に対応して、鞘管１４が曲げ部１６を有するから、鞘管１４を水中ブロック１の下方に挿入し易くなる。
【００３２】
このように本実施例では、請求項４に対応して、水中ブロック１の一側から水中ブロック１の下方に浮体１５と鞘管１４の先端を挿入し、先行用紐状体１３の基端側を操作して先行用紐状体１３の先端側を鞘管１４の先端から押し出し、水中において浮体１５が水中ブロック１の他側に浮上した後、先行用紐状体１３を残して鞘管１４を基端側から引き抜き、先行用紐状体１３の基端に玉掛用紐状体１２を連結し、先行用紐状体１３の先端を引っ張って玉掛用紐状体１２を水中ブロック１の下方に挿通し、玉掛用紐状体１２を水中ブロック１に掛け、玉掛用紐状体１２を用いて水中ブロック１を吊り上げるから、治具１１を用いて水中ブロック１の下方に玉掛用紐状体１２を簡便に挿通することができ、撤去作業を安全に行うことができる。
【００３３】
実施例上の効果として、玉掛時に潜水士が水中ブロック１の直下に潜り込む必要が無いため、安全性が向上する。また、水中ブロック１の下方に鞘管１４及び浮体１５を挿入するスペースのみあれば玉掛可能であるため、施工性が向上する。さらに、先端側曲げ部１６Ａは曲率が小さく、この先端側曲げ部１６Ａに比べて基端側曲げ部１６Ｂの曲率を大きくしているから、鞘管１４は手元の操作が容易で、且つ水中ブロック１の他側から鞘管１４の先端を挿入し易くなる。また、鞘管１４は湾曲状をなすから、先行用紐状体１３をスムーズに押し込むことができる。
【実施例２】
【００３４】
図５は本考案の実施例２を示し、上記実施例１と同一部分に同一符号を付し、その詳細な説明を省略して詳述する。この例では、前記先行用紐状体１３の先端と前記取付部材１７とを着脱自在に連結する連結具２１を用いている。この連結具２１としては、前記先行用紐状体１３の先端にステンレス製の雌螺子筒部２２を設け、前記取付部材１７に前記雌螺子筒部２２に着脱可能に螺合する雄螺子部２３を設けてなる。
【００３５】
この例では、取付部材１７は鋼棒やステンレス棒などの硬質材料からなる。従って、先行用紐状体１３の基端側を引っ張って取付部材１７を鞘管１４内に配置すると、鞘管１４と浮体１５とが一直線状に並び、治具１１の水中ブロック１の下方への挿入作業を容易に行うことができる。
【００３６】
このように本実施例では、上記実施例１と同様な作用・効果を奏する。
【００３７】
この例では、先行用紐状体１３の先端に、連結具２１により浮体１５を着脱可能に設けたから、治具１１の繰り返し使用を容易に行うことができる。
【００３８】
図６は本考案の実施例３を示し、上記各実施例と同一部分に同一符号を付し、その詳細な説明を省略して詳述する。この例の鞘管１４は、直管部分を複数（３箇所）の曲げ部１６Ｃにより連結した形状をなし、上記各実施例と同様な作用・効果を奏する。
【００３９】
この例では、曲げ部１６Ｃを部分的に設けたから、直管状の鞘管１４からの加工が容易となり、また、曲げ部１６Ｃは湾曲状をなすから、先行用紐状体１３をスムーズに押し込むことができる。また、鞘管１４の両端の直管部分のなす角度は、４０度以下であり、鞘管１４に通すことにより先行用紐状体１３は１４０度以上向きを変える。この場合、鞘管１４の両端の接線のなす角度を９０度以上、好ましくは１１５度以上、より好ましくは実施例の１４０度以上、１８０度以下とすることにより、先行用紐状体１３の先端を水中ブロック１の他側に通し易くなる。また、個々の曲げ部１６Ｃの角度は９０度以下であり、先行用紐状体１３をスムーズに押し込むことができる。尚、複数の曲げ部１６Ｃは同一平面上に位置する。
【００４０】
図７は本考案の実施例４を示し、上記各実施例と同一部分に同一符号を付し、その詳細な説明を省略して詳述する。この例は気中のブロック１に適した玉掛用治具１１を示し、浮体１５に換えて、先行用紐状体１３の先端に、前記連結具２１により輪部３１を設けている。そして、鋼製やステンレス製の輪部３１が、前記取付部材１７の先端に一体に設けられている。また、輪部３１は、鞘管１４の内径より大きく、鞘管１４内に入ることはない。尚、輪部３１を鋼製ワイヤにより構成してもよい。
【００４１】
このように本実施例では、請求項１に対応して、気中のブロック１の下方に玉掛用紐状体１２を挿通し、この玉掛用紐状体１２をブロック１の下部に掛けるブロック１の玉掛用治具１１において、玉掛用紐状体１２をブロック１の下方に通すための先行用紐状体１３と、この先行用紐状体１３が挿通される鞘管１４とを備え、鞘管１４が曲げ部１６を有するから、ブロック１の一側から鞘管１４の先端をブロック１の下方に挿入し、曲げ部１６により鞘管１４の先端側が上向きになるように挿通し、先行用紐状体１３の先端側を作業者が掴んだら、先行用紐状体１３を残して鞘管１４を一側に引き抜き、先行用紐状体１３の基端に玉掛用紐状体１２を連結し、先行用紐状体１３の先端側を引っ張って玉掛用紐状体１２をブロック１の下方に挿通し、ブロック１に玉掛用紐状体１２を掛けることができる。
【００４２】
また、請求項２に対応して、鞘管１４に挿通した先行用紐状体１３の先端に設けた浮体１５を備えるから、気中のブロック１の玉掛作業において、ブロック１の一側から鞘管１４の先端をブロック１の下方に挿入し、曲げ部１６により鞘管１４の先端側が上向きになるように挿通し、先行用紐状体１３の先端側の浮体１５を作業者が気中で掴むことができ、上記各実施例と同様な作用・効果を奏する。
【００４３】
実施例上の効果として、連結具２１を備えるから、水中のブロック１の場合は、浮体１５を用い、気中のブロック１の場合は、輪部３１を用い、それらの交換を簡便に行うことができる。また、先行用紐状体１３の先端側を作業者が直接手で掴んで保持する以外に、輪部３１に係止するフックを棒状材（図示せず）の先端に設け、輪部３１にフックを係止して先行用紐状体１３の先端側を間接的に保持してもよい。さらに、輪部３１はフックの係止部が係止する係止受部であり、フックなどの係止部が係止可能であれば、係止受部はＴ型などでもよい。また、浮体１５は比較的軽量であるから、請求項２に対応して、浮体１５を付けた玉掛用治具１１を用いて気中のブロック１に玉掛用紐状体１２を玉掛けしてもよく、こうすれば水中のブロック１と気中のブロック１の作業に浮体１５を付けた玉掛用治具１１を用いることができ、特に、水に浸る又は水没する水中ブロック１と、この水に浸る又は水没する水中ブロック１の上に積み上げられ気中となる水中ブロック１と、を共通する浮体１５を有する玉掛用治具１１により玉掛けすることができる。
【００４４】
尚、本発明は、本実施例に限定されるものではなく、本発明の要旨の範囲内で種々の変形実施が可能である。例えば、紐状体は、帯状のものでもよい。また、浮体を１個用いる例を示したが、１本の先行用紐状体に対して、複数の浮体を用いてもよい。さらに、実施例３で示した曲げ部１６Ｃは、１箇所のみでもよい。また、鞘管は、Ｕ字状、角部に曲げ部を設けたコ字形、角部に曲げ部を設けたＬ型などでもよい。さらに、ブロックは、消波ブロック以外でも、根固ブロックなどの各種のものを用いることができ、その材質も適宜可能であり、請求項４以外は、水中と気中のいずれのブロックにも本発明は適用可能である。また、水中ブロックはその全体が水没していなくても、下部のみが水没しているものにも適用可能である。また、実施例２及び４では、実施例１及び３のいずれかの曲げ部を用いることができ、この場合、実施例２の曲げ部と実施例４の曲げ部を組み合わせてもよい。
【符号の説明】
【００４５】
１  水中ブロック（水中のブロック，ブロック）
３  海底（設置場所）
１１  玉掛用治具
１２  玉掛用紐状体
１３  先行用紐状体
１４  鞘管
１５  浮体
１６  曲げ部
１６Ｃ  曲げ部
【図１】
2018017056.tif 000003
【図２】
2018017056.tif 000004
【図３】
2018017056.tif 000005
【図４】
2018017056.tif 000006
【図５】
2018017056.tif 000007
【図６】
2018017056.tif 000008
【図７】
2018017056.tif 000009